(57)【要約】      （修正有） 【課題】前髪の着脱が可能で、頭囲に合わせて毛髪の幅を調整することが可能な、異なる種類の帽子やバンダナの内側に装着する部分かつらを提供する。【解決手段】後髪つけ毛１ａが伸縮する輪状テープ４に縫着された後ろ部分かつら１に、着脱部品５が取り付けられた前髪つけ毛２及び拡幅つけ毛３を着脱自在に装着できる内側用部分かつらであって、前記着脱部品５は、プラスチックなどの非金属製の部品からなり、伸縮する輪状テープ４は、ベルベットやスエードなどのずれにくい特徴を持つ素材からなることを特徴とする内側用部分かつらを提供する。これを使用するときは、伸縮する輪状テープ４を伸ばして後ろ部分かつら１を頭に被り、場合によって前髪つけ毛２や拡幅つけ毛３を着け、その上に帽子やバンダナを装着する。【選択図】図１
0003191136.tif 000002
【実用新案登録請求の範囲】
【請求項１】
異なる種類の帽子やバンダナの内側に装着する部分かつらであって、後髪つけ毛は伸縮する輪状テープに結合され、前髪つけ毛及び拡幅つけ毛を着脱自在に装着できることを特徴とする内側用部分かつら。
【請求項２】
前記前髪つけ毛及び拡幅つけ毛に着脱部品が取り付けられ、前髪つけ毛及び拡幅つけ毛を着脱自在に装着できる様にしたことを特徴とする、請求項１記載の内側用部分かつら。
【請求項３】
前記着脱部品は、プラスチックなどの非金属製の部品からなることを特徴とする、請求項１又は２記載の内側用部分かつら。
【請求項４】
前記後髪つけ毛、前髪つけ毛、拡幅つけ毛の毛髪は、毛髪部の上部を解れないように加工されることを特徴とする、請求項１乃至３いずれかの項に記載の内側用部分かつら。    
【請求項５】
前記毛髪は、様々な長さ、巻き度合い、色からなることを特徴とする、請求項１乃至４いずれかの項に記載の内側用部分かつら。
【請求項６】
前記毛髪は、化繊の場合、人毛の場合、化繊と人毛を混合した場合があることを特徴とする、請求項１乃至５いずれかの項に記載の内側用部分かつら。
【請求項７】
前記伸縮する輪状テープは、綿素材又はベルベットやスエードなどのずれにくい特徴を持つ素材からなることを特徴とする、請求項１乃至６いずれかの項に記載の内側用部分かつら。
【考案の詳細な説明】
【技術分野】
【０００１】
本考案は、異なる種類の帽子やバンダナの内側に装着する部分かつらに関する。
【背景技術】
【０００２】
髪の毛を失った状態となった人は、かつらを必要とすることが多いが、頭部全体に毛髪を植毛する構成になっている全部かつらは、頭部が蒸れて不快であったり、圧迫感があったり、ずれやすいという欠点がある。
【０００３】
そこで、本考案者は、実用新案登録第３１３０３６３号公報（特許文献１）において、綿素材等でできたヘアバンドやずれにくいリボン又はテープに毛髪を結合した、帽子やバンダナの内側に装着する部分かつらを提案している。
【先行技術文献】
【特許文献】
【０００４】
【特許文献１】実用新案登録第３１３０３６３号公報
【考案の概要】
【考案が解決しようとする課題】
【０００５】
しかしながら、上記特許文献１に記載の考案では、毛髪を伸縮する輪状テープに結合した構成であり、前髪部分の毛髪を着脱自在に装着できる構成ではなかった。そのため、後ろ部分の毛髪だけを装着したい場合、或いは、後ろ部分の毛髪と前髪部分の毛髪の両方を装着したい場合があるという利用者の要望に対応できなかった。
【０００６】
そこで、特許文献１の考案者である本考案者は、上記の問題点に着目し、金属製の着脱部品を前髪つけ毛の上両端部に取り付け、前髪つけ毛を着脱できる構成の部分かつらを既に販売している。
【０００７】
しかし、金属製の着脱部品は、金属探知機を気にする必要があったり、金属アレルギーの人が付けられないという欠点があった。
【０００８】
そこで、本考案では、前髪つけ毛を非金属製の着脱部品で着脱自在に装着する構成を提供する。
【０００９】
さらに、前髪つけ毛を装着した時に、後髪つけ毛と前髪のつけ毛の間に毛髪が無い部分が生じるという欠点が生じる。
【００１０】
本考案者は、ＳサイズＭサイズというように様々な幅で後髪つけ毛と前髪つけ毛を提供しているが、利用者の頭囲にちょうど合う大きさで提供することが難しい。
【００１１】
そこで、本考案では、後髪つけ毛と前髪つけ毛の間に生じる毛髪が無い部分を補足するために、着脱部品を上端部に取り付けた拡幅つけ毛を提供する。
【課題を解決するための手段】
【００１２】
後髪つけ毛の毛髪は伸縮する輪状テープに結合されており、前髪つけ毛と拡幅つけ毛は、伸縮する輪状テープの後髪つけ毛が結合されていない部分にプラスチックなどの非金属製の部品で着脱可能に装着できる。
【００１３】
また、上記後髪つけ毛、前髪つけ毛、拡幅つけ毛の毛髪は、縁どりテープ等で毛髪上部を覆ってもよい。
【００１４】
また、上記後髪つけ毛、前髪つけ毛、拡幅つけ毛の毛髪は、長さ、巻き度合い、色など、様々な種類を提供してもよい。
【００１５】
また、上記伸縮する輪状テープは、綿素材又はベルベットやスエードなどのずれにくい効果がある素材としてもよい。
【００１６】
また、上記後髪つけ毛、前髪つけ毛、拡幅つけ毛の毛髪は、ポリエステル等の化繊、人毛、化繊と人毛を混合したミックス毛としてもよい。
【考案の効果】
【００１７】
本考案によれば、前髪つけ毛を着脱可能に出来ることから、利用者は前髪がある状態と前髪が無い状態を選択できる。拡幅つけ毛を着脱可能に出来ることから、後髪つけ毛と前髪つけ毛の間に毛髪が無い部分が生じない部分かつらを提供できる。プラスチックなどの非金属製の部品を採用することにより、金属部品を使用できない時や金属部品を使用できない体質の利用者も装着が可能となる。伸縮する輪状テープにベルベットやスエードなどのずれにくい効果がある素材を採用することにより、位置ずれが生じにくく安定した装着状態が得られる。様々な種類の毛髪で提供することにより、利用者の好みに合った部分かつらの提供が可能となる。
【図面の簡単な説明】
【００１８】
【図１】内側用部分かつらの全体の構成を示す全体斜視図である。
【図２】内側用部分かつらを使用者が着用した様子の過程を示す図である。
【考案を実施するための形態】
【００１９】
以下、本考案の実施の形態を図に基づいて説明する。
【実施例】
【００２０】
図１に示されるように、本考案の内側用部分かつらは、伸縮する輪状テープ４に後髪つけ毛１ａが結合された後ろ部分かつら１と、着脱部品５が取り付けられた前髪つけ毛２及び拡幅つけ毛３から構成される。
【００２１】
後髪つけ毛１ａは伸縮する輪状テープ４に縫着されており、前髪つけ毛２は後ろ部分かつら１の後髪つけ毛１ａが縫着されていない部分に着脱部品５を用いて装着できる。
【００２２】
後髪つけ毛１ａと前髪つけ毛２の間に毛髪が無い部分が生じた場合は、拡幅つけ毛３を後ろ部分かつら１の後髪つけ毛１ａが縫着されていない部分かつ前髪つけ毛２が装着されていない部分に着脱部品５を用いて装着できる。
【００２３】
後髪つけ毛１ａ、前髪つけ毛２及び拡幅つけ毛３は、毛髪が解けないように上部をほつれ防止加工される。ほつれ防止加工の方法として、毛髪上部を布やネット状の部材で覆っても良いし、毛髪裏面を布やネット状の部材で補強しても良い。
【００２４】
着脱部品５は、前髪つけ毛２及び拡幅つけ毛３の上端部で頭部に接する側に取り付けられる。
【００２５】
次に内側用部分かつらの装着方法及び構成について説明する。
【００２６】
図２に示されるように、利用者が内側用部分かつらを利用するには、伸縮する輪状テープ４を伸ばして後ろ部分かつら１をまず頭に被り、場合によって前髪つけ毛を装着し、後髪つけ毛１Ａと前髪つけ毛２の間に毛髪が無い部分が生じた場合は拡幅つけ毛３を装着し、その上に利用者の好みに応じて帽子やバンダナを被る。
【００２７】
後髪つけ毛１ａは伸縮する輪状テープ４に縫着されているが、前髪つけ毛２は縫着されていない。後髪つけ毛１ａと前髪つけ毛２の両方とも伸縮する輪状テープ４に縫着された場合、伸縮する輪状テープ４が伸びなくなるため頭に被ることができなくなる。
【００２８】
そのため、前髪つけ毛２及び拡幅つけ毛３は、後ろ部分かつら１をあらかじめ頭に被った後に、着脱部品５を用いて装着する。
【００２９】
また、ずれにくい素材（ここではベルベット素材）の伸縮する輪状テープ４が利用者の頭囲全周に接することで、位置ずれが生じにくくなる。
【００３０】
さらに、伸縮する輪状テープ４の色は、利用者の肌の色や髪の色に合わせてベージュや茶色にしても良い。毛髪は、化繊の場合、人毛の場合、化繊と人毛を混合したミックス毛でも良いし、様々な長さ、巻き度合い、色にしてもよい。
【００３１】
そして、この内側用部分かつらの利用者は髪の毛を失った人に限定されるものではない。本来の自分の髪型とは異なった髪型でおしゃれなヘアスタイルに簡単に変えたい人が着用しても良い。位置ずれが生じにくい特徴を活かしてファッション性が高い装いをする人で激しい運動をする人（例えばダンサー）が着用しても良い。
【符号の説明】
【００３２】
１    後ろ部分かつら
１ａ  後髪つけ毛
２    前髪つけ毛
３    拡幅つけ毛
４    伸縮する輪状テープ
５    着脱部品
６    帽子
７    バンダナ
【図１】
0003191136.tif 000003
【図２】
0003191136.tif 000004
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
異なる種類の帽子やバンダナの内側に装着する部分かつらであって、後髪つけ毛は伸縮する輪状テープに結合され、前髪つけ毛及び拡幅つけ毛を着脱自在に装着できることを特徴とする内側用部分かつら。
【請求項２】
前記前髪つけ毛及び拡幅つけ毛に着脱部品が取り付けられ、前髪つけ毛及び拡幅つけ毛を着脱自在に装着できる様にしたことを特徴とする、請求項１記載の内側用部分かつら。
【請求項３】
前記着脱部品は、プラスチックなどの非金属製の部品からなることを特徴とする、請求項１又は２記載の内側用部分かつら。
【請求項４】
前記毛髪は、様々な長さ、巻き度合い、色からなることを特徴とする、請求項１乃至３いずれかの項に記載の内側用部分かつら。
【請求項５】
前記毛髪は、化繊の場合、人毛の場合、化繊と人毛を混合した場合があることを特徴とする、請求項１乃至４いずれかの項に記載の内側用部分かつら。
【請求項６】
前記伸縮する輪状テープは、ベルベット又はスエードのずれにくい効果がある素材からなることを特徴とする、請求項１乃至５いずれかの項に記載の内側用部分かつら。